(57)【特許請求の範囲】
【請求項１】
スライドファスナー組立体であって、  （ａ）上面、下面、側縁および複数のエレメントを備える第１テープと、  （ｂ）上面、下面、側縁および複数のエレメントを備える第２テープと、  （ｃ）第１テープの上面に第１面および第１テープの下面に第２面を備える蝶棒と、  （ｄ）第２テープと一体であるとともに、第２テープの上面に第１部分および第２テープの下面に第２部分を備える箱体と、を備えており、  蝶棒の第１面および第２面の各々は、  蝶棒上端縁、蝶棒上端縁の反対側の蝶棒下端縁、蝶棒上端縁と蝶棒下端縁との間の蝶棒第１側端縁、および蝶棒上端縁と蝶棒下端縁との間で蝶棒第１側端縁の反対側の蝶棒第２側端縁と、  外面と、  外面に対して高くなった挿入区域と、  蝶棒上端縁と挿入区域の上端縁との間の輪郭形状と、を備えるものであり、輪郭形状は蝶棒係合部を画成しており、  箱体は、  箱体上端縁、箱体上端縁の反対側の箱体下端縁、箱体上端縁と箱体下端縁との間の箱体第１側端縁、および箱体上端縁と箱体下端縁との間で箱体第１側端縁の反対側の箱体第２側端縁と、  第１部分の内面を第２部分の内面から分離する空洞と、  箱体上端縁と空洞の上部に隣接する端縁との間の輪郭形状と、を備えるものであり、輪郭形状は箱体係合部を画成しており、  箱体係合部は、蝶棒の挿入区域が箱体の空洞に受入れられた時に蝶棒係合部に当接する、スライドファスナー組立体。
【請求項２】
箱体の空洞は、互いに対して階段状になった下部スナップ機構および上部強度部材を含む、請求項１に記載のスライドファスナー組立体。
【請求項３】
蝶棒の輪郭形状の少なくとも一部は、蝶棒第１側端縁と蝶棒第２側端縁との間に位置する、請求項１に記載のスライドファスナー組立体。
【請求項４】
箱体第１側端縁は、箱体の輪郭形状の少なくとも一部を形成する、請求項１に記載のスライドファスナー組立体。
【請求項５】
蝶棒の第１面および第２面の各々は、蝶棒が箱体の空洞内に受入れられた時に箱体のガイドエレメントのそれぞれの空洞内に受入れられる半エレメントをさらに含む、請求項１に記載のスライドファスナー組立体。
【請求項６】
蝶棒の第１面および第２面の各々の半エレメントは、蝶棒上端縁のすぐ近くにあり、  箱体のそれぞれのガイドエレメントは、箱体上端縁のすぐ近くにある、請求項５に記載のスライドファスナー組立体。
【請求項７】
蝶棒の第１面および第２面の各々の半エレメントは、ガイドエレメントのそれぞれの空洞内に９０°の角度で受入れられる、請求項５に記載のスライドファスナー組立体。
【請求項８】
ハンドル部が蝶棒第１側端縁を越えて突出する、請求項１に記載のスライドファスナー組立体。
【請求項９】
箱体の空洞の上部に隣接する端縁は、スライダーの後口の幅と少なくとも同じ長さを有する直線部を備える、請求項１のスライドファスナー組立体。
【請求項１０】
スライドファスナー組立体であって、
（ａ）複数のエレメントを備える第１テープと、
（ｂ）複数のエレメントを備える第２テープと、
（ｃ）第１テープに少なくとも１つの面を備える蝶棒と、
（ｄ）第２テープと一体である箱体と、
（ｅ）上翼板、下翼板、上翼板および下翼板の少なくとも一方から延出するフランジ、上翼板および下翼板を連結する首部、および幅を有する後口を備えるスライダーと、を備えており、
蝶棒の少なくとも１つの面は、
蝶棒上端縁、蝶棒上端縁の反対側の蝶棒下端縁、蝶棒上端縁と蝶棒下端縁との間の蝶棒第１側端縁、および蝶棒上端縁と蝶棒下端縁との間で蝶棒第１側端縁の反対側の蝶棒第２側端縁と、
外面と、
外面に対して高くなった挿入区域と、
蝶棒上端縁に隣接する半エレメントと、
蝶棒上端縁と挿入区域の上端縁との間の輪郭形状と、を備えるものであり、輪郭形状は蝶棒係合部を画成しており、
箱体は、
箱体上端縁、箱体上端縁の反対側の箱体下端縁、箱体上端縁と箱体下端縁との間の箱体第１側端縁、および箱体上端縁と箱体下端縁との間で箱体第１側端縁の反対側の箱体第２側端縁と、
空洞と、
空洞の上部に隣接し、直線部を含む端縁と、
箱体上端縁と空洞の上部に隣接する端縁との間の輪郭形状と、を備えるものであり、輪郭形状は箱体係合部を含み、
スライダーの後口の幅は、空洞の上部に隣接する端縁の直線部の長さと少なくとも同じであり、
箱体係合部は、蝶棒の挿入区域が箱体の空洞に受入れられた後に蝶棒係合部に当接し、スライダーの後口は、箱体上端縁の前方にある、スライドファスナー組立体。
【請求項１１】
箱体の空洞は、互いに対して階段状になった下部スナップ機構および上部強度部材を含む、請求項１０に記載のスライドファスナー組立体。
【請求項１２】
上部強度部材は、下部スナップ機構よりも遠くまで空洞内に突出する、請求項１１に記載のスライドファスナー組立体。
【請求項１３】
蝶棒の輪郭形状の少なくとも一部は、蝶棒第１側端縁と蝶棒第２側端縁との間に位置する、請求項１０に記載のスライドファスナー組立体。
【請求項１４】
箱体第１側端縁は、箱体の輪郭形状の少なくとも一部を形成する、請求項１０に記載のスライドファスナー組立体。
【請求項１５】
蝶棒の少なくとも１つの面は、蝶棒が箱体の空洞内に受入れられた時に９０°の角度で箱体のガイドエレメントのそれぞれの空洞内に受入れられる半エレメントをさらに含む、請求項１０に記載のスライドファスナー組立体。
【請求項１６】
挿入区域はテーパーの端縁を含む、請求項１０に記載のスライドファスナー組立体。
【請求項１７】
ハンドル部が蝶棒第１側端縁を越えて突出する、請求項１０に記載のスライドファスナー組立体。
【請求項１８】
スライダーの首部は、スライダーの後口が空洞の上部に隣接する箱体の端縁の直線部に沿って置かれた時に蝶棒の半エレメントに当接する、請求項１０に記載のスライドファスナー組立体。
【請求項１９】
スライダーの後口が蝶棒係合部に接触し、蝶棒係合部を箱体係合部から離れる方向に押した時に、蝶棒は箱体から脱離する、請求項１０に記載のスライドファスナー組立体。 
【発明の詳細な説明】
【技術分野】
【０００１】  一部の非限定的実施形態において防水かつ／または気密である改良した開端スライドファスナー。
【背景技術】
【０００２】  スライドファスナーは、２片の布地、またはその他の柔軟材料を固着するために使用される。スライドファスナーは、スライドファスナーを開閉するために、テープに配置されたエレメントと係合するスライダーを含む。スライダーをテープに沿って動かすと、概ねＹ字形の溝が、テープの対向するエレメント列を一体に噛み合わせてスライドファスナーを閉じる。スライダーを反対方向に動かすと、概ねＹ字形の溝は対向するエレメント列を引き離してスライドファスナーを開く。【０００３】  開端スライドファスナーは、たいてい、スライドファスナーが正しく開閉可能なよう、スライダーを２つのテープのエレメントに対して正しく整列させるために、箱体・蝶棒機構をテープの一端に含む。テープの反対端は止具を含んでよく、これは閉鎖位置にある時にスライダーを受入れスライダーがテープの端から脱落するのを防ぐ。
【発明の概要】
【課題を解決するための手段】
【０００４】  この特許において使用される用語「発明」、「該発明」、「この発明」および「本発明」は、この特許の対象および以下の特許クレームの全部を広範に指すべく意図されている。これらの用語を含む論述は、本書に記述された対象を限定しない、または以下の特許クレームの意味または範囲を限定しないと理解しなければならない。この特許によって包括される発明の実施形態は、この概要ではなく以下のクレームによって定義される。この概要は、発明の種々の態様の高水準の概説であって、以下の詳細な説明の節でさらに述べる概念の一部を紹介する。この概要は、クレームする対象の重要または本質的な特徴を識別するように意図しておらず、クレームする対象の範囲を決定するために切り離して使用するように意図してもいない。対象は、この特許の明細書全体の適切な部分、図面および各クレームの一部または全部の参照によって理解しなければならない。【０００５】  組立および操作の容易さを助長する構成となっている箱体・蝶棒機構を備えた開端スライドファスナーを開示する。一部実施形態において、スライドファスナーは、使用者がスライドファスナーの一部または全部の視認性を制限されるかまったく失った時でも操作できる。場合によっては、箱体・蝶棒機構はテープ端縁を圧迫し防水かつ気密のシールを創出する構成となっており、従ってスライドファスナーが製造された後に別個の構成要素を装着する必要をなくす。【０００６】  本発明の例示的な実施形態を以下の図面に関して以下に詳述する。
【図面の簡単な説明】
【０００７】
【図１】閉鎖位置において示す一実施形態に従ったスライドファスナー組立体の斜視図である。
【図２】図１のスライドファスナー組立体の正面図である。
【図３】開放位置においてスライダーを除いて示す図１のスライドファスナー組立体の一部分の正面図である。
【図４】図１のスライドファスナー組立体の第１テープの一部分の側面図である。
【図５】図１のスライドファスナー組立体の第２テープの一部分の側面図である。
【図６】図１のスライドファスナー組立体の箱体の正面図である。
【図７】図６の箱体の端面図である。
【図８】図６の箱体の端面斜視図である。
【図９】図１のスライドファスナー組立体の蝶棒の正面図である。
【図１０】図９の蝶棒の端面図である。
【図１１】図９の蝶棒の端面斜視図である。
【図１２】図６の箱体と図９の蝶棒の初期係合を個別に図示する。
【図１３】図６の箱体と図９の蝶棒の係合を個別に図示する。
【図１４】一実施形態に従ったスライダーの端面図である。
【図１５】図１４のスライダーの正面図である。
【図１６】図１４のスライダーの側面図である。
【図１７】図１４のスライダーの背面図である。
【図１８】図１４のスライダーの別の端面図である。
【図１９】図１のスライドファスナー組立体を操作するステップを図示しており、スライダー（想像線で示す）がエレメントと整列するように図９の蝶棒が図６の箱体に対して位置決めされる。
【図２０】図１のスライドファスナー組立体を操作する次のステップを図示しており、図９の蝶棒は図６の箱体に係合するべく位置決めされ、スライダー（想像線で示す）はテープの第１端にある。
【図２１】図１のスライドファスナー組立体を操作する次のステップを図示しており、図９の蝶棒は図６の箱体に係合するべく位置決めされ、スライダー（想像線で示す）はテープの第１端にある。
【図２２】図１のスライドファスナー組立体を操作する次のステップを図示しており、図９の蝶棒は図６の箱体と係合し、スライダー（想像線で示す）はテープの第１端にある。
【図２３】図１のスライドファスナー組立体を操作する次のステップを図示しており、図９の蝶棒は図６の箱体と完全に係合し、スライダー（想像線で示す）はテープの第１端から離れる方向に移動する。
【図２４】図６の箱体と図９の蝶棒の完全係合を図示しており、スライダーはテープの第２端にあり止具内に受入れられる。
【図２５】図６の箱体と図９の蝶棒の完全係合を図示しており、スライダーは除いて示されている。
【図２６】図６の箱体からの図９の蝶棒の脱離を図示しており、スライダーは想像線で示されている。
【図２７】図１のスライドファスナー組立体の係合したエレメントの一部分の正面図である。
【図２８】図２７に示したＡ−Ａ線に沿って得られるエレメントの一部分の断面図である。
【発明を実施するための形態】
【０００８】  使用者がスライドファスナー組立体の視認性を制限された時でも容易に操作できる改良された開端スライドファスナー組立体を開示する。場合によっては、スライドファスナー組立体は、テープを製造した後に付加的な別個の部品の装着を要することなく防水かつ／または気密である構成となっている。例えば、各図に示されたスライドファスナー組立体８は、防水かつ／または気密シールを形成する構成となっている一体型の止具および箱体・蝶棒組立体を含む。開示組立体は、それぞれのエレメントが係合していない時にテープが互いに分離している開端構成に特に良好に適する。なお、以下の説明において、第１テープおよび第２テープに関しては、上側とは図２の紙面に対して手前側、下側とは図２の紙面に対して奥側である。また、スライダーに関しては、上側とは図２の紙面に対して手前側、下側とは図２の紙面に対して奥側、前側とは図２の紙面に対して上側、後側とは図２の紙面に対して下側である。また、蝶棒及び箱体に関しては、上側とは図２の紙面に対して上側、下側とは図２の紙面に対して下側である。
【０００９】  図１〜図２に示すように、スライドファスナー組立体８は、第１物品に止着され得る第１テープ１０および、第２物品または第１物品の別の一部に止着され得る第２テープ１１を含む。一部実施形態において、テープ１０、１１はポリウレタンその他の適切な材料で被覆されている。それぞれのエレメントが係合していない時に、テープ１０、１１は互いに分離している（すなわちそれらは開端スライドファスナーの一部である）ので、それらはジャケットおよびパンツを有する防水および気密スーツといった互いに分離している衣料品での使用に良好に適する。開示スライドファスナー組立体の一部の非限定的用途は、カヤックスーツ、レインスーツ、ウェットスーツ、ドライスーツ、非常用防護服等を含む。
【００１０】  第１テープ１０の２端を結合してループにするとともに、第２テープ１１の２端を結合してループにしてもよいが、必ずしもそうする必要はない。一部実施形態において、第１テープ１０の２端は、射出成形される第１拡張部２０により結合され、第２テープ１１の２端は、射出成形される第２拡張部２４によって結合される（図１〜図２参照）。２つのテープ１０、１１のエレメント１４が結合し合った時（すなわちスライドファスナー組立体８が閉鎖位置にある時）に、スライドファスナー組立体８もまた場合によってはループを形成し得るが、必ずしもそうする必要はない。
【００１１】  スライドファスナー組立体８を開閉するために、スライダー１２（図１４〜図１８参照）が、第１および第２テープ１０、１１に配置されたエレメント１４と協働する。図１４〜図１８に示すように、スライダー１２は、一般に、スライダー胴体６０、および既知の様態でスライダー胴体に付属する引手（図示せず）を含む。スライダー胴体６０は従来の作りとすることができ、それゆえ上翼板および下翼板は形状および大きさが概ね同じであるが、必ずしもそうである必要はない。図１４〜図１８に示すように、スライダー胴体６０は、上翼板６６および下翼板６８を含み、これらは互いに離隔され、前部７０で首部７２（時にダイヤモンドとも呼ばれる）によって連結され、概ねＹ字形のガイド溝６４を形成する。首部７２は前端部７４を含む。引手がその周りで旋回できる柱６２は上翼板６６から延出する。フランジ７６は上翼板６６および下翼板６８から延出する。スライダー１２を一方向に動かすと、概ねＹ字形のガイド溝６４はテープの対向するエレメント列を一体に噛み合わせる。スライダー１２が反対方向に動かすと、概ねＹ字形のガイド溝６４は対向するエレメント列を分離する。
【００１２】  図３に示すように、第１テープ１０の２端を結合する第１拡張部２０は、第１テープ１０に関係する第１止具１６から側方に拡張し得る。同様に、第２テープ１１の２端を結合する第２拡張部２４は、第２テープ１１に関係する第２止具１８から側方に拡張し得る。図２５に示すように、第１止具１６の側縁２２が第２止具１８の側縁２６と当接した時に、第１止具１６および第２止具１８は、スライダー１２の首部７２を受入れる構成となっている空洞２８を形成する。このようにして、第１止具１６および第２止具１８は、図１〜図２および図１４〜図１８に示したスライダー１２と協働してテープ１０、１１に沿ったスライダー１２の縦走を制限する。加えて、止具１６、１８は、止具１６、１８とスライダー１２との間に隙間がまったく存在しないようにスライダー１２と係合して水および／または空気がスライドファスナー組立体８を透通するのを防ぐように構成されている。詳しくは、止具１６、１８は互いに対し、そしてスライダー１２と圧迫されて、スライドファスナー組立体８の防水および気密特性を維持する。
【００１３】  図３に示すように、第１止具１６はテープ１０の蝶棒３８に対して位置決めされ、第２止具１８はテープ１１の箱体３０に対して位置決めされる。以下でさらに詳細に検討する通り、蝶棒３８は箱体３０と係合してスライダー１２を分離した２つのテープ１０、１１に対して正しく整列させ、それによりスライドファスナー組立体８は正しく開閉可能となる。箱体３０および蝶棒３８は任意の適切な柔軟材料で形成されてもよく、それは例えば、ナイロン（登録商標）のような任意の適切なポリマー、熱可塑性エラストマーといったエラストマーまたは任意の他の適切な材料を含む。一部実施形態において、箱体３０および蝶棒３８は、エレメント１４および／または止具１６、１８と同じ材料で形成されるが、必ずしもそうする必要はない。
【００１４】  図６に示すように、箱体３０は、上端縁１１０、下端縁１１２、第１側端縁１１４および第２側端縁１１６を有する。図示した実施形態において、第１側端縁１１４は輪郭形状１１８の一部を形成する。また、箱体３０は、第２テープ１１の上面及び下面に関係する２つの部分３１を含み、２つの部分３１の内面は空洞３３によって互いに分離されている。図５によれば、第２テープ１１の上面に第１部分を備え、第２テープ１１の下面に第２部分を備える。別の実施形態では、１つの部分３１だけが存在する。２つの部分３１の各内面は、互いに対して階段状になった上部強度部材３６および下部スナップ機構３７を含む。下部スナップ機構３７は後述の通り触覚フィードバックを生じる構成となっているのに対し、上部強度部材３６はスライドファスナー組立体８の横方向強度を維持するのを助ける。上部強度部材３６は、下部スナップ機構３７よりも遠くまで空洞３３内に突出する。また、図５に示すように、空洞３３は、成形型からの箱体３０の取出しを容易にすることができる任意選択の２つの凹部５０を含む。
【００１５】  ２つの部分３１の各々は、箱体３０の把持および取扱いを容易にするハンドル区域３５（図６参照）を含む。さらに、輪郭形状１１８は、箱体の上端縁１１０と空洞３３の上部に隣接する端縁１２０との間に位置する係合部３２（後述）を含む。端縁１２０は、角をなしており、スライダー１２の後口８０（図１５参照）の幅とほぼ同じ長さかそれよりも大きい直線部１２２を有する。図３、図５、図６および図８に示すように、凹設されたガイドエレメント３４が箱体３０から延在し、複数のエレメント１４がガイドエレメント３４に隣接する（例えば図３参照）。
【００１６】  図１２〜図１３に示すように、箱体３０は蝶棒３８と係合する構成となっている。蝶棒３８は図４および図９〜図１１に図示されている。蝶棒３８は、上端縁１４０、下端縁１４２、第１側端縁１４４および第２側端縁１４６を有する。また、図９に示すように、蝶棒３８は、第１テープ１０の上面及び下面に関係する２つの面４１を含むが、別の実施形態では、１つの面４１だけが存在する。２つの面４１は、第１テープ１０の上面側に位置する第１面と、第１テープ１０の下面側に位置する第２面である。２つの面４１の各々は、図１２〜図１３に示すように、面４１から上方に延出し、箱体３０の空洞３３内に受入れられる構成となっている挿入区域４０を含む。挿入区域４０は、蝶棒３８の外面１５２に対して高くなっており、テーパー４６の端縁４４を含む。挿入区域４０が空洞３３内に受入れられた時に、挿入区域４０の端縁４４は空洞３３の上部強度部材３６および下部スナップ機構３７に隣接する。テーパー４６は、階段状の上部強度部材３６および下部スナップ機構３７に沿った挿入区域４０の移動を容易にするのを助ける。
【００１７】  ２つの面４１の各々は、輪郭形状１４８も含む。図示した実施形態における輪郭形状１４８は、第１側端縁１４４と第２側端縁１４６との間に配置される。輪郭形状１４８は、蝶棒３８の上端縁１４０と挿入区域４０の上端縁１５０との間に配置された係合部４２を含む。係合部４２は、蝶棒３８が初期係合位置（図１２参照）から収容位置（図１３参照）へ移動する際に箱体３０の係合部３２と協働する構成となっている。係合部３２、４２の係合（図１３参照）により箱体・蝶棒組立体を収容位置に固定するのを助ける。
【００１８】  図９〜図１１に示すように、蝶棒３８は、空洞３３への蝶棒３８の挿入区域４０の把持および挿入を容易にするハンドル部３９を有する。ハンドル部３９は、蝶棒３８の第１側端縁１４４を超えて突出する。半エレメント４８が蝶棒３８の２つの面４１からそれぞれ延出する。図１３に示すように、半エレメント４８は、半エレメント４８の少なくとも一部分が箱体３０のガイドエレメント３４内に受入れられるとともに、蝶棒３８が箱体３０と完全に係合して収容位置にある時に、ガイドエレメント３４に隣接するエレメント１４と一部分が協働するような形状および寸法にされている。場合によっては、図１３に示すように、半エレメント４８はガイドエレメント３４内に９０°の角度で受入れられる。また、蝶棒３８の半エレメント４８は、蝶棒３８の上端縁１４０のすぐ近くに配置され、箱体３０のガイドエレメント３４は、箱体３０の上端縁１１０のすぐ近くに配置される。
【００１９】  図１９〜図２４は、蝶棒３８および箱体３０と係合する時のスライダー１２の操作を示している。最初に、スライダー１２がエレメント１４と整列するように蝶棒３８を箱体３０に対して位置決めするが、蝶棒３８はスライダー１２に挿入するのと同じステップで箱体３０に挿入する必要はない。これによりスライドファスナー組立体８の使いやすさを高めるとともに、使用者がスライドファスナー組立体８の視認性を制限されるかまったく失った時でもスライドファスナー組立体８を操作可能となる。詳しくは、図１９〜図２２に示すように、蝶棒３８は、半エレメント４８がスライダー１２のすぐ近くにあるようにスライダー１２のフランジ７６間に受入れられる。図１９はスライドファスナー組立体８を操作するステップを示しており、蝶棒３８はスライダー１２だけに挿入され、スライダー１２の後口８０は箱体３０の端縁１２０の直線部１２２に置かれる。このように、箱体３０の端縁１２０はスライダー１２を支持し位置決めするのを助ける。
【００２０】  図２０〜図２１は、スライダー１２のフランジ７６内に受入れられた蝶棒３８および、空洞３３に挿入される前に箱体３０の空洞３３に対して整列された挿入区域４０を示している。図２１は、スライダー１２の首部７２が半エレメント４８と係合してスライダー１２を箱体３０に対して正しく位置決めするのを助ける状態を示している。スライダー１２の首部７２は、スライダー１２の後口８０が空洞３３の上部に隣接する箱体３０の端縁１２０の直線部１２２に置かれた時に蝶棒３８の半エレメント４８と係合する。首部７２は図解のために図２１ではハッチングにより示しており、スライダー１２の他の部分は想像線で示している。
【００２１】  図２２は、挿入区域４０の少なくとも一部が箱体３０の空洞３３に挿入されている箱体３０と蝶棒３８との初期係合を示している。ハンドル部３９を把持することにより、空洞３３への挿入区域４０の少なくとも一部の挿入を容易にできる。蝶棒３８の挿入区域４０が箱体３０の空洞３３の下部スナップ機構３７の上に乗ると、クリック感および／または可聴スナップ音といった触覚応答が生じ、蝶棒３８が箱体３０に正しく受入れられたことを指示する。図２２に示すように、挿入区域４０が空洞３３内に受入れられた後でも、スライダー１２が箱体３０に置かれた時に蝶棒３８の上部と箱体３０の上部との間に隙間が存在する。
【００２２】  図２３は、スライダー１２が蝶棒３８／箱体３０から離れて止具１６、１８方向にエレメント１４に沿って移動した後のスライドファスナー組立体８を示している。図２３に示すように、スライダー１２を箱体３０／蝶棒３８の先にエレメント１４に沿って上方（図２３中上方向）へ動かすことにより、蝶棒３８は自動的に箱体３０に対して完全係合位置に移動する。詳しくは、蝶棒３８／箱体３０の先へのスライダー１２の移動は、蝶棒３８の他の部分（例えば蝶棒３８の上部）を引っ張り箱体３０（例えば箱体３０の上部）と接触させ、それにより蝶棒３８の係合部４２が箱体３０の係合部３２に当接し、蝶棒３８を箱体３０に対して収容位置に保持するのを助けることになる。図１３は、スライダー１２を取り除いて、箱体３０に対して収容位置にある蝶棒３８を示している。
【００２３】  図２４は、収容位置にある箱体３０と完全に係合した蝶棒３８を、止具１６、１８の空洞２８内に受入れられたスライダー１２とともに示している。図２４に示すように、スライダー１２が蝶棒３８／箱体３０の先へ移動した後でも、蝶棒３８は箱体３０と完全に係合したままであり、係合部３２は係合部４２に当接している。
【００２４】  蝶棒３８を箱体３０から自動的に脱離させるには、図２６に示すように、スライダー１２が蝶棒３８に接触するまでスライダー１２を蝶棒３８／箱体３０の方向にエレメント１４に沿って下方（図２６中下方向）に動かす。具体的には、スライダー１２が蝶棒３８の係合部４２まで移動することにより、蝶棒３８の係合部４２と箱体３０の係合部３２との当接を妨げ、蝶棒３８を箱体３０から解放する。さらに説明すると、スライダー１２の後口８０が蝶棒３８の係合部４２に接触し、蝶棒３８の係合部４２を箱体３０の係合部３２から離れる方向に押した時に、蝶棒３８が箱体３０から脱離する。そして、箱体３０からの蝶棒３８の取外しにより２つのテープ１０、１１は互いに分離可能となる。
【００２５】  図４〜図５に示すように、テープ１０、１１の端縁５４、５６は露出している。そうしたものとして、スライダー１２がテープ１０、１１の止具１６、１８と相互作用した時に、止具１６、１８はテープ１０、１１の端縁５４、５６を圧迫して圧着によって防水かつ／または気密シールをもたらす。詳しくは、スライダー１２が空洞２８内に受入れられた時に、拡張部２０、２４の端縁２７、２９および止具１６、１８の側縁２３、２５は互いに圧迫しあう（図２５参照）。止具１６、１８の圧迫は転じて、箱体３０および蝶棒３８の圧迫によりテープ端縁の圧着を支援する。
【００２６】  同様に、図４〜図５に示すように、テープ１０、１１の端縁５４、５６は箱体３０の側および蝶棒３８の側で露出している。そうしたものとして、蝶棒３８が箱体３０に対して収容位置にある時に、蝶棒３８は箱体３０に対して圧迫される。転じて、箱体３０および蝶棒３８に沿ったテープ１０、１１の端縁５４、５６は圧迫され、防水かつ／または気密シールをもたらす。上述の通り、スライダー１２が止具１６、１８内に受入れられた時の止具１６、１８の圧迫もまた、箱体３０および蝶棒３８に隣接するテープ端縁５４、５６を圧迫するのを助ける。さらに、図２３に示すように、箱体３０のガイドエレメント３４のすぐ上の第１エレメント１４と蝶棒３８の半エレメント４８との係合は、テープ１０、１１の端縁５４、５６をさらに圧迫して、テープ端縁の圧着および防水かつ／または気密シールの形成を促す。図２８は、防水かつ／または気密シールを形成するテープ１０、１１の端縁５４、５６の圧迫を示している。上述の通り、スライドファスナー組立体８は、防水かつ／または気密シールを要求する用途での使用に限定されず、従って止具１６、１８は別様に構成できる。
【００２７】  図面に図示または上述した構成要素の異なる構成が、図示せぬ、または述べていない構成要素およびステップと同様に可能である。同様に、一部の特徴および部分的組合せが有用であり、他の特徴および部分的組合せに関係なく使用してもよい。本発明の実施形態は制限的でなく例証的目的で記載されており、代替実施形態はこの特許の読者には明らかであろう。例えば、上述したスライドファスナーは、任意の所望の用途において使用でき、防水かつ／または気密シールを要求するものに限らない。従って、本発明は上述または図面に示した実施形態に限定されておらず、以下の請求の範囲を逸脱しなければ種々の実施形態および修正が可能である。
【００２８】  本出願は、２０１６年１０月３日出願のアメリカ合衆国特許出願（１５／２８４，３９４）に基づくものであり、その内容はここに参照として取り込まれる。
【符号の説明】
【００２９】  ８  スライドファスナー組立体  １０  第１テープ  １１  第２テープ  １２  スライダー  １４  エレメント  １６  第１止具  １８  第２止具  ２０  第１拡張部  ２４  第２拡張部  ２２、２６  側縁  ２８  空洞  ３０  箱体  ３１  部分  ３２  係合部  ３３  空洞  ３４  ガイドエレメント  ３５  ハンドル区域  ３６  上部強度部材  ３７  下部スナップ機構  ３８  蝶棒  ３９  ハンドル部  ４０  挿入区域  ４１  面  ４２  係合部  ４４  端縁  ４６  テーパー  ４８  半エレメント  ５０  凹部  ６０  スライダー胴体  ６２  柱  ６４  ガイド溝  ６６  上翼板  ６８  下翼板  ７０  前部  ７２  首部  ７４  前端部  ７６  フランジ  ８０  後口  １１０  上端縁  １１２  下端縁  １１４  第１側端縁  １１６  第２側端縁  １１８  輪郭形状  １２０  端縁  １２２  直線部  １４０  上端縁  １４２  下端縁  １４４  第１側端縁  １４６  第２側端縁  １４８  輪郭形状  １５２  外面
【図１】
0006719573.tif 000002
【図２】
0006719573.tif 000003
【図３】
0006719573.tif 000004
【図４】
0006719573.tif 000005
【図５】
0006719573.tif 000006
【図６】
0006719573.tif 000007
【図７】
0006719573.tif 000008
【図８】
0006719573.tif 000009
【図９】
0006719573.tif 000010
【図１０】
0006719573.tif 000011
【図１１】
0006719573.tif 000012
【図１２】
0006719573.tif 000013
【図１３】
0006719573.tif 000014
【図１４】
0006719573.tif 000015
【図１５】
0006719573.tif 000016
【図１６】
0006719573.tif 000017
【図１７】
0006719573.tif 000018
【図１８】
0006719573.tif 000019
【図１９】
0006719573.tif 000020
【図２０】
0006719573.tif 000021
【図２１】
0006719573.tif 000022
【図２２】
0006719573.tif 000023
【図２３】
0006719573.tif 000024
【図２４】
0006719573.tif 000025
【図２５】
0006719573.tif 000026
【図２６】
0006719573.tif 000027
【図２７】
0006719573.tif 000028
【図２８】
0006719573.tif 000029